(57)【要約】【課題】カードの盗難を防止するカード盗難防止構造を提供する。【解決手段】カードスロットが形成されたカード挿入台１２を備えるカード収納部６と、カード収納部６を覆う蓋１０とを備え、カードスロット１２ａにカード１４を挿入して映像表示を許可する映像表示装置２のカード盗難防止構造であって、カード挿入台１２は蓋１０を係止するための係止孔１２ｄを有し、可撓性のロック体であるプッシュリベットを蓋１０の挿通孔１０ａからカード挿入台１２の係止孔１２ｄに挿着して、蓋１０をカード挿入台１２にロックし、工具又は冶具を使用しなければ蓋１０を取り外せないようにして、カードの盗難を防止する。【選択図】図２
2009055115.tif 000002
【特許請求の範囲】
【請求項１】
カードを収納するカード収納部と、該カード収納部を覆う蓋とを備え、
前記カードの盗難を防止するカード盗難防止構造であって、
前記カード収納部に係止部を設けてあり、
該係止部に変形して係止し、前記カード収納部に前記蓋をロックする可撓性のロック体を有することを特徴とするカード盗難防止構造。
【請求項２】
前記係止部は孔でなり、
前記蓋は前記ロック体が挿通する挿通孔を前記孔と対向する位置に有しており、
前記ロック体は前記挿通孔から前記孔に嵌入するプッシュリベット及びアンカークリップのいずれかであることを特徴とする請求項１に記載のカード盗難防止構造。
【請求項３】
前記係止部は孔でなり、該孔は前記カード収納部の縁に形成されており、
前記ロック体は前記蓋の縁に設けられた鉤状のロック爪からなっていることを特徴とする請求項１に記載のカード盗難防止構造。
【請求項４】
前記カードを前記カード収納部に収納して映像表示が許可されるようになっており、請求項１から３までのいずれか一つに記載のカード盗難防止構造を備えることを特徴とする映像表示装置。
【発明の詳細な説明】
【技術分野】
【０００１】
本発明は、カードの盗難を防止するカード盗難防止構造及び該カード盗難防止構造を備える映像表示装置に関する。
【背景技術】
【０００２】
地上波デジタル放送、ＢＳ及びＣＳデジタル放送等を視聴するためには、Ｂ−ＣＡＳカードが必要であるが、業務用のＴＶ、ホテル及び公共施設などで備品として使用されるＴＶ等では、カードが盗難に遭うケースが多く、カードの盗難を防止する対策が求められている。
この種のカード盗難防止構造として、特許文献１が提案されている。特許文献１に示す表示装置の例では、カードが挿入される挿入口を備える表示装置本体と、表示装置本体を載置する置き台との間に挟み込まれる冶具とを備えている。冶具は挟み込まれるとき、カードの挿入口を塞ぐように配置されており、カードが挿入された表示装置本体が置き台に載置された場合、冶具によりカードを取り出せないようにしてカードの盗難の防止を図っている。
【特許文献１】特開２００６−２３７９７１号公報
【発明の開示】
【発明が解決しようとする課題】
【０００３】
しかしながら特許文献１に示す例では、カード盗難防止のためにカードの挿入口を塞ぐ冶具が必要であり、コスト高で冶具の挟み込みに手間がかかり、改善の余地がある。
【０００４】
本発明は、このような事情に鑑みてなされたものであって、その目的とするところは、カードを収納するカード収納部に係止部を設け、係止部に係止して蓋をカード収納部にロックするロック体を備えることにより、ロック体のロックを解除しない限り蓋が取り外せられず、手間をかけずに簡単にカードの盗難を防止するカード盗難防止構造及び該カード盗難防止構造を備える映像表示装置を提供することにある。
【課題を解決するための手段】
【０００５】
本発明のカード盗難防止構造は、カードを収納するカード収納部と、該カード収納部を覆う蓋とを備え、前記カードの盗難を防止するカード盗難防止構造であって、前記カード収納部に係止部を設けてあり、該係止部に変形して係止し、前記カード収納部に前記蓋をロックする可撓性のロック体を有することを特徴とする。
【０００６】
このような構成の本発明のカード盗難防止構造では、カードをカード収納部に収納した後、カード収納部を蓋で覆ったとき、ロック体が、撓んで係止部に変形して係止し、蓋をカード収納部にロックする。
したがって、本発明のカード盗難防止構造では、ロック体のロックを解除しない限り蓋が取り外せられず、カードの盗難を防止する。
【０００７】
本発明のカード盗難防止構造は、前記係止部は孔でなり、前記蓋は前記ロック体が挿通する挿通孔を前記孔と対向する位置に有しており、前記ロック体は前記挿通孔から前記孔に嵌入するプッシュリベット及びアンカークリップのいずれかであることを特徴とする。
【０００８】
このような構成の本発明のカード盗難防止構造では、カードをカード収納部に収納した後、カード収納部を蓋で覆い、蓋の挿通孔からカード収納部の孔にロック体であるプッシュリベット又はアンカークリップが嵌入したとき、プッシュリベット又はアンカークリップが撓んでカード収納部の孔に係止して蓋をロックする。
したがって、本発明のカード盗難防止構造では、例えば工具又は冶具等を使用してプッシュリベット又はアンカークリップのロックを解除しない限り蓋が取り外せられず、カードの盗難を防止する。
【０００９】
本発明のカード盗難防止構造は、前記係止部は孔でなり、該孔は前記カード収納部の縁に形成されており、前記ロック体は前記蓋の縁に設けられた鉤状のロック爪からなっていることを特徴とする。
【００１０】
このような構成の本発明のカード盗難防止構造では、カードをカード収納部に収納した後、カード収納部を蓋で覆ったとき、鉤状のロック爪が撓んでカード収納部の孔に係止して蓋をロックする。カード収納部に蓋をロックしたとき、ロック爪が外部から触れないため、ロック爪を撓ませて孔との係止を外せず蓋が取り外せられない。
したがって、本発明の盗難防止構造では、ロック爪のロックを解除しない限り蓋が取り外せられず、カードの盗難を防止する。
【００１１】
本発明の映像表示装置は、前記カードを前記カード収納部に収納して映像表示が許可されるようになっており、前述のカード盗難防止構造を備えることを特徴とする。
【００１２】
このような構成の本発明の映像表示装置では、カードをカード収納部に収納した後、映像表示が許可になり、カードを収納したカード収納部に蓋をロックして、カード収納部からカードの盗難を防止する。
【発明の効果】
【００１３】
本発明のカード盗難防止構造は、カード収納部の係止部に変形して係止する可撓性のロック体で蓋をカード収納部にロックしているので、工具又は冶具によりロック体のロックを解除しない限り、蓋を取り外してカードを取り出すことができず、手間をかけずに簡単にカードの盗難を防止することができるという効果を有する。
したがって、本発明のカード盗難防止構造は、蓋でカード収納部を覆って係止部にロック体で係止し、蓋をカード収納部にロックするだけであるので、廉価であり、容易にカード盗難防止ができる。
本発明の映像表示装置は、カードを収納したカード収納部を蓋で覆ってロックするだけで、カード収納部からカードの盗難を防止することができるという効果を有する。
【発明を実施するための最良の形態】
【００１４】
以下、図面に基づき、本発明による映像表示装置のカード盗難防止構造の好適な実施の形態を説明する。
（実施の形態１）
図１は実施の形態１に係る映像表示装置のカード盗難防止構造を示す正面上方から視た斜視図、図２は背面上方から視た斜視図、図３は映像表示装置のカード収納部を示す背面上方から視た斜視図である。
実施の形態１に係る映像表示装置２は、例えば地上波デジタル放送の受信映像表示装置であり、長方形状のＢ−ＣＡＳカード（以下、「カード」という）をカードスロット１２ａに挿入することにより視聴が許可されるようになっており、カード盗難防止構造を備えている。カード盗難防止構造は、カードスロット１２ａを備えるカード収納部６を蓋１０で覆い、可撓性のロック体で蓋１０をロックしたものであり、冶具又は工具等がなければ蓋１０が開けられないようになっている。
【００１５】
映像表示装置２は直方体状のキャビネット４を有し、キャビネット４は奥行きが薄く、長手方向を横向きにして縦置き姿勢でスタンド３に支持されている。キャビネット４は矩形額縁状の前キャビネット４ａと、開口部が正面側に形成されており、前キャビネット４ａの背面側を覆う矩形箱状の後キャビネット４ｂとからなる。前キャビネット４ａの前枠４ｃは矩形状の表示画面５の周縁を覆うように配設されている。前枠４ｃの下部には映像表示装置２の入力用ボタン５ａ及び出力端子５ｂ等が配設されている。
【００１６】
後キャビネット４ｂには、一側方側の上隅に上面及び背面に渡って、後キャビネット４ｂの内側に窪んだ凹部でなるカード収納部６が形成されている。カード収納部６は平面視及び背面視矩形状をなし、各長手方向が表示画面５と平行になっている。
カード収納部６の正面側の正面壁６ｈの横幅の距離を隔てて両側壁６ｆ、６ｇが対向しており、正面壁６ｈ及び両側壁６ｆ、６ｇがカード収納部６の底部６ｉの三方を囲い、背面側を開放している。
【００１７】
カード収納部６の開口部８は後キャビネット４ｂの上面及び背面側が開放されたものであり、開口部８には側面視倒立Ｌ字状の蓋１０が覆設されている。
カード収納部６の背面側を覆う蓋１０は背面視矩形状をなしており、蓋１０の背面部分の縦横の大きさは、カード１４の縦横の大きさより二割方大きい。
【００１８】
カード収納部６の底部６ｉの略全域に渡って、平面視矩形状をなし、長手方向が表示画面５と平行になっているカード挿入台１２が、カード収納部６の対向する両側壁６ｆ、６ｇの中程の高さまで形成されている。カード挿入台１２の上面の横方向の中央には、カードスロット１２ａが長手方向を表示画面５と平行にして形成されている。カード挿入台１２の縦方向の中央部に、カード１４を摘んでカードスロット１２ａに挿脱し易いように窪み１２ｂが形成されている。
【００１９】
カード挿入台１２は背面視凹字形をなし、凹字形の後壁の一方及び他方の後壁のうち側壁６ｆ側に位置する後壁１２ｃに蓋１０を係止するための係止孔１２ｄが一個形成されている。
カード１４は表面を表示画面５と平行に短辺側を下側にして縦方向に上側からカードスロット１２ａに挿入するようになっている。
【００２０】
カード収納部６が形成されている後キャビネット４ｂの内部にはカードスロット１２ａから挿入されたカード１４の情報を読み書きするカードリーダ（図示せず）が備えられている。カードリーダはカード１４の下側の一部分が挿入された状態でカードスロット１２ａからカード１４の上側の一部分が突出するように装着されている。
【００２１】
カード収納部６の奥側の両角に蓋１０の上縁１０ｅを支持するための四角柱状の嵌合柱６ａ、６ａが、カード収納部６の正面側の上縁６ｅの高さ近くまで形成されている。各嵌合柱６ａの上面の中央部に矩形状の嵌合穴６ｂが長手方向を上縁６ｅと略平行に形成されている。またカード収納部６の背面側の下縁６ｃは、蓋１０の下縁１０ｂを支持しており、下縁６ｃの中央部及び両端部の少し内側に、矩形状の嵌合穴６ｄ、６ｄ、６ｄが長手方向を下縁６ｃと略平行に横並びに三個形成されている。
【００２２】
カード収納部６の背面側を覆う蓋１０の背面部分の中央より側壁６ｆ寄りの下側に、カード挿入台１２の後壁１２ｃに形成された係止孔１２ｄに対向する挿通孔１０ａが一個形成されている。蓋１０の背面部分の下縁１０ｂの中央部と両端部とに側面視倒立Ｌ字形の嵌合部１０ｃ、１０ｃ、１０ｃが、横並びに三個正面側に向かって突設されている。即ち、嵌合部１０ｃは、正面側に向けて突出する矩形板状の脚の先端から、下向きに屈曲した嵌合脚１０ｄでなっている。各嵌合脚１０ｄは、背面視矩形状をなしている。
【００２３】
蓋１０の下縁１０ｂの中央部に位置する嵌合脚１０ｄの先端部には背面側に突出する突起１０ｇが形成されている。各嵌合脚１０ｄは、カード収納部６の嵌合穴６ｄにそれぞれ嵌合可能になっている。中央部の嵌合部１０ｃは撓んで変形した後、嵌合穴６ｄに嵌入するようになっている。
【００２４】
カード収納部６の上側を覆う蓋１０の上側部分は平面視矩形状をなしている。蓋１０の上側部分の上縁１０ｅの両端部に、背面視矩形状の嵌合爪１０ｆ、１０ｆが下向きに二個突設されている。各嵌合爪１０ｆ、１０ｆはカード収納部６の各嵌合穴６ｂ、６ｂに嵌合するようになっている。
蓋１０、嵌合部１０ｃ及び嵌合爪１０ｆは、樹脂製であり、可撓性を有している。
【００２５】
実施の形態１に係る映像表示装置２のカード盗難防止構造では、カード収納部６の開口部８に蓋１０を覆設し、蓋１０の挿通孔１０ａからカード挿入台１２の係止孔１２ｄに可撓性のロック体を装着して蓋１０をロックするようにしている。
【００２６】
可撓性のロック体としては樹脂製のプッシュリベット１６を使用することができる。プッシュリベット１６は、フランジ１６ａ付きの先割れ円筒状のリベット１６ｂと、傘状の頭部のあるピン１６ｃとからなる。ピン１６ｃの脚の長さはリベット１６ｂの全長より長い。
【００２７】
プッシュリベット１６は、リベット１６ｂを蓋１０の挿通孔１０ａからカード挿入台１２の係止孔１２ｄに差し込み、リベット１６ｂのフランジ１６ａを挿通孔１０ａの縁に当接させた後、リベット１６ｂの貫通孔にピン１６ｃを差し込んだとき、係止孔１２ｄからカード挿入台１２の内部に突き出ているリベット１６ｂの先割れの先端が、ピン１６ｃで樹脂の弾性機能により撓んで押し拡げられており、係止孔１２ｄからリベット１６ｂの先端が抜け出ないようになっている。
【００２８】
実施の形態１に係るプッシュリベット１６は、工具又は冶具なしでは取り外せないため、蓋１０を工具等なしでは容易に開けられない。プッシュリベット１６に代えて、樹脂製のアンカークリップを使用してもよい。プッシュリベット１６を使用した場合は原則として再使用できないが、脱着の繰り返しが可能である。
アンカークリップを使用した場合は、カード１４をカードスロット１２ａに挿入して蓋１０をした後、基本的に蓋１０を取り外さない。
【００２９】
次に実施の形態１に係る映像表示装置のカード盗難防止構造の作用について説明する。
先ず、カード挿入台１２のカードスロット１２ａにカード１４を挿入した後、カード収納部６を蓋１０で覆ったとき、蓋１０の嵌合脚１０ｄ、１０ｄ、１０ｄ及び嵌合爪１０ｆ、１０ｆがそれぞれカード収納部６の嵌合穴６ｄ、６ｄ、６ｄ及び嵌合穴６ｂ、６ｂに嵌合し、蓋１０がカード収納部６の開口部８を覆う。
【００３０】
次に蓋１０の挿通孔１０ａからカード挿入台１２の係止孔１２ｄに、リベット１６ｂを挿着し、リベット１６ｂのフランジ１６ａが挿通孔１０ａの縁に当接する。リベット１６ｂの貫通孔にピン１６ｃを押し込んだとき、リベット１６ｂの先割れの先端が係止孔１２ｄの内側で塑性変形して押し拡がり、係止孔１２ｄの周縁が、拡幅したリベット１６ｂの先端を係止して、プッシュリベット１６が蓋１０をカード挿入台１２の係止孔１２ｄにロックし、プッシュリベット１６のロックを解除しない限り蓋１０が取り外せられない。
【００３１】
カード１４を取り出す場合、先ず、工具又は冶具を使用して、プッシュリベット１６のピン１６ｃを引き抜く。ピン１６ｃを引き抜いたとき、拡幅していたリベット１６ｂの先端は元に戻らない。
次にフランジ１６ａを手前側へ引き抜いて、リベット１６ｂを係止孔１２ｄ及び挿通孔１０ａから抜き取る。次いで蓋１０を外し、カード挿入台１２のカードスロット１２ａからカード１４を抜き取る。
【００３２】
このような実施の形態１に係るカード盗難防止構造では、ロック体であるプッシュリベット１６が工具又は冶具なしでは取り外せないため、蓋１０を手指で容易に開けることができず、カードの盗難を防止することができる。
【００３３】
次に実施の形態２について説明する。
（実施の形態２）
図４は実施の形態２に係る映像表示装置のカード盗難防止構造を示す背面下方から視た斜視図、図５は正面下方から視た斜視図である。なお、図中、符号２４はキャビネットを示し、符号２４ａは前キャビネットを示す。
実施の形態１では、長方形状のカード１４の表面を表示画面５と平行にし、短辺側を下側にして縦方向にカードスロット１２ａに挿入するようにしたものであるが、実施の形態２では、カード１４の表面を表示画面５と平行にし、長辺側を下側にして横方向にカードスロット２２ａに挿入するようにしたものである。
なお、実施の形態１と実質的に同一の部材には同一の符号を付した。
【００３４】
実施の形態２に係る映像表示装置２０のカード盗難防止構造は、実施の形態１と基本的に同様の構成であるが、カード収納部２６の位置及び形態が異なる。即ち、実施の形態２に係るカード収納部２６は後キャビネット２４ｂの一側方の下方側の側面及び背面に渡って後キャビネット２４ｂ内側に窪んで形成された横断面視略Ｌ字形の凹部でなる。後キャビネット２４ｂの側面から背面へは横方向に緩やかに湾曲しており、湾曲した形状に対応した背面視矩形状の蓋２１が、カード収納部２６の開口部２８に覆設されている。
【００３５】
カード収納部２６の側壁２６ａは、長手方向を縦向きにした側面視矩形状のカード挿入台２２をなしている。カード挿入台２２の中央部に、カードスロット２２ａが表示画面５と平行に縦方向に形成されている。カード収納部２６の側壁２６ａの背面側の縁２６ｅの中央部、上端部及び下端部に、矩形状の嵌合穴２６ｃ、２６ｃ、２６ｃが長手方向を背面側の縁２６ｅと略平行に等間隔に三個形成されている。
【００３６】
カード収納部２６の正面側の壁２６ｂは背面視矩形状をなし、壁２６ｂの中央より後キャビネット２４ｂの側部側で少し下部に、蓋２１を係止するための係止孔２６ｄが一個形成されている。
壁２６ｂの上縁の下側及び下縁の上側で後キャビネット２４ｂの側部よりに、四角柱状の嵌合柱２５ａ、２５ａが二個形成されている。各嵌合柱２５ａ、２５ａに、後キャビネット２４ｂ側部側の外方向の一側面に矩形状の嵌合穴２５ｂ、２５ｂが長手方向を縦向きにして形成されている。
【００３７】
蓋２１の中央部から後キャビネット２４ｂの側部側寄りに、カード収納部２６の壁２６ｂに当接する背面視矩形状の底部２１ｂを有する凹部２１ａが、蓋２１の内側に窪んで形成されている。
底部２１ｂには壁２６ｂの係止孔２６ｄに対向する位置に挿通孔２１ｃが形成されている。蓋２１の一側方の側縁の上端部及び下端部に、嵌合柱２５ａ、２５ａの各嵌合穴２５ｂ、２５ｂに嵌合する嵌合爪２１ｄ、２１ｄが、蓋２１の内側で他側方向きに二個表示画面５と平行に突設されている。蓋２１の他側方の側端の中央部、上端部及び下端部に、嵌合穴２６ｃ、２６ｃ、２６ｃに各嵌合する嵌合爪２１ｆ、２１ｆ、２１ｆが外向きに三個表示画面５と平行に突設されている。中央部の嵌合爪２１ｆの先端部には背面側に突出する突起２１ｇが形成されている。中央部の嵌合爪２１ｆは撓んで変形した後に嵌合穴２６ｃに嵌入する。
蓋２１及び嵌合爪２１ｄ、２１ｆは、樹脂製であり、可撓性を有している。
【００３８】
実施の形態２に係る映像表示装置２０のカード盗難防止構造では、カード収納部２６の開口部２８に蓋２１を覆設し、蓋２１の挿通孔２１ｃからカード収納部２６の壁２６ｂの係止孔２６ｄにロック体である実施の形態１と同様のプッシュリベット１６を装着して蓋２１をロックするようにしている。ロック体としては実施の形態１と同様にプッシュリベット１６に代えてアンカークリップを使用してもよい。
【００３９】
このような実施の形態２に係る映像表示装置２０のカード盗難防止構造では、先ず、カード挿入台２２のカードスロット２２ａに、カード１４の長辺を下側に表面を表示画面５と平行にして横向きに挿入した後、カード収納部２６を蓋２１で覆ったとき、蓋２１の一側方の各嵌合爪２１ｄ、２１ｄが、嵌合柱２５ａ、２５ａの各嵌合穴２５ｂ、２５ｂに嵌合し、蓋２１の他側方の各嵌合爪２１ｆ、２１ｆ、２１ｆが、各嵌合穴２６ｃ、２６ｃ、２６ｃに嵌合する。中央部の嵌合爪２１ｆは撓んで変形した後に嵌合穴２６ｃに嵌合する。
各嵌合爪２１ｄ、２１ｆが各嵌合穴２５ｂ、２６ｃに嵌合したとき、蓋２１の底部２１ｂがカード収納部２６の壁２６ｂに当接して開口部２８を覆う。
【００４０】
次に蓋２１の挿通孔２１ｃから壁２６ｂの係止孔２６ｄに、プッシュリベット１６のリベット１６ｂを挿着し、リベット１６ｂのフランジ１６ａが蓋２１の挿通孔２１ｃの縁に当接する。リベット１６ｂの貫通孔にピン１６ｃを押し込んだとき、リベット１６ｂの先割れの先端が係止孔２６ｄの内側で塑性変形して押し拡がり、係止孔２６ｄの周縁が拡幅したリベット１６ｂの先端を係止して、プッシュリベット１６が蓋２１をカード収納部２６の壁２６ｂの係止孔２６ｄにロックする。
蓋２１をカード収納部２６から取り外すときは、実施の形態１と同様であるので詳細な説明を省略する。
【００４１】
このような実施の形態２に係るカード盗難防止構造では、ロック体であるプッシュリベット１６が工具又は冶具なしでは取り外せないため、蓋２１を手指で容易に開けることができず、カードの盗難を防止することができる。
【００４２】
次に実施の形態３について説明する。
（実施の形態３）
図６は実施の形態３に係る映像表示装置のカード盗難防止構造の側断面図である。
実施の形態３に係る映像表示装置３０は実施の形態１に係る映像表示装置２と同様であり、映像表示装置３０のキャビネット３２の形態及びカード収納部３４は実施の形態１のそれぞれと同様であり、蓋３６のロック構造が実施の形態１及び２と異なる。なお、図６中、符号３２ａは前キャビネットを示す。
実施の形態１及び２では可撓性のロック体が樹脂製のプッシュリベット１６又はアンカークリップであったが、実施の形態３では可撓性のロック体が蓋３６に突設された可撓性のロック爪である。以下、詳細に説明する。
【００４３】
後キャビネット３２ｂには、一側方の上隅に後キャビネット３２ｂの上面及び背面に渡って後キャビネット３２ｂの内側に窪んだ側断面視略Ｌ字形の凹部でなるカード収納部３４が形成されている。カード収納部３４の開口部３４ｃは後キャビネット３２ｂの上面及び背面側が開放されており、開口部３４ｃには側面視逆Ｌ字状の蓋３６が覆設されている。
【００４４】
カード収納部３４には、実施の形態１と同様のカード挿入台１２が形成されており、カード挿入台１２の上面には横長矩形状のカードスロット１２ａが形成されている。
カード収納部３４が形成されている後キャビネット３２ｂの内部にはカードスロット１２ａから挿入されたカード１４の情報を読み書きするカードリーダ３３が収容されている。カードリーダ３３は、実施の形態１と同様にカード１４の下側の一部分が挿入された状態でカードスロット１２ａからカード１４の上側の一部分が突出するように装着されている。
【００４５】
カード収納部３４の奥側の上縁３４ａの両端部に、矩形状の係止孔３５ａ、３５ａが長手方向を横向きに二個形成されている。さらにカード収納部３４の背面側の下縁３４ｂの中央部及び両端部の少し内側に矩形状の係止穴３５ｂ、３５ｂ、３５ｂが長手方向を下縁３４ｂと略平行に横並びに三個形成されている。
【００４６】
カード収納部３４の背面側を覆う蓋３６の背面部分は、カード収納部３４の開口部３４ｃの背面側に対応して背面視矩形状をなしている。蓋３６の背面部分の下縁３６ａの中央部と両端部とに可撓性の側面視逆Ｌ字形の係止部３７が、カード収納部３４の各係止穴３５ｂに対向して横並びに三個正面側に向かって突設されている。各係止部３７の下向きに突出する係止脚３７ａは背面視正方形状をなしている。各係止脚３７ａの先端部には、背面側に突出する突起３７ｂが形成されている。各係止脚３７ａは撓んで変形した後にカード収納部３４の各係止穴３５ｂに嵌入するようになっている。
【００４７】
カード収納部３４の上側を覆う蓋３６の上側部分は、カード収納部３４の開口部３４ｃの上側に対応して平面視矩形状をなしている。蓋３６の上側部分の上縁３６ｂの両端部に可撓性のロック体である正面視矩形状のロック爪３８が、下向きに二個突設されている。
各ロック爪３８の先端部に、正面側に突出する突起３８ａが、カード収納部３４の各係止孔３５ａに対向して形成されており、ロック爪３８は鉤状になっている。
【００４８】
カード収納部３４を蓋３６で覆ったとき、カード収納部３４の縁が蓋３６の縁と面一になるようにしてある。蓋３６の上縁３６ｂとカード収納部３４の上縁３４ａとは密接しているが、カード収納部３４及び蓋３６は樹脂製であるため、密接している境界に、例えばマイナスのドライバ４２を押し当てて、樹脂の弾性機能によりわずかの隙間３０を形成することができる。隙間３０から突起３８ａにマイナスのドライバ４２を押し当て、ロック爪３８を撓ませることにより、突起３８ａと係止孔３５ａとの嵌合を外せる。
したがって、蓋３６は冶具又は工具なしでは取り外すことができない。
【００４９】
次に実施の形態３に係る映像表示装置のカード盗難防止構造の作用について説明する。
先ず、カードスロット１２ａにカード１４を挿入した後、蓋３６で開口部３４ｃを覆ったとき、カード収納部３４の縁が蓋３６の縁と面一になり、蓋３６の各係止脚３７ａが撓み各係止穴３５ｂに嵌合して、係止穴３５ｂの内側の周縁が係止脚３７ａの突起３７ｂを係止する。
次いで、蓋３６の上縁３６ｂの各ロック爪３８の各突起３８ａが、カード収納部３４の上縁３４ａに当接して、各ロック爪３８が撓み、各突起３８ａが各係止孔３５ａに嵌合して、蓋３６をカード収納部３４にロックする。
【００５０】
カード収納部３４に蓋３６をロックしたとき、ロック爪３８を外部から触れないため、ロック爪３８を撓ませて係止孔３５ａから外して蓋３６を取り外せられず、カード１４の盗難を防止する。
【００５１】
そして、蓋３６を取り外す場合、先ず、蓋３６の上縁３６ｂとカード収納部３４の上縁３４ａとの境界に、例えばマイナスのドライバ４２を押し当てたとき、樹脂製のカード収納部３４及び蓋３６の弾性機能により隙間３０ができる。さらに隙間３０からマイナスのドライバ４２でロック爪３８を押圧したとき、ロック爪３８が撓み、突起３８ａが係止孔３５ａから抜け出る。
次に蓋３６を背面斜め上方向へ引き上げたとき、係止脚３７ａと係止穴３５ｂとの嵌合が外れ、蓋３６が外れる。
最後に、カード収納部３４からカード１４を抜き取る。
【００５２】
このような実施の形態３に係る映像表示装置３０のカード盗難防止構造では、ロック体であるロック爪３８がマイナスのドライバ４２で外部から押圧して撓ませることにより、突起３８ａと係止孔３５ａとの係止を解除して蓋３６を取り外すようにしているため、蓋３６を手指で容易に開けることができず、カード１４の盗難を防止することができる。
【００５３】
なお、実施の形態１及び２では、樹脂製のプッシュリベット１６又はアンカークリップを使用したが、金属製であってもよい。金属製のプッシュリベットの場合、手でピンを押し込んだときロックされ、さらにドライバでピンを押し込んだとき、ロックが解除される。
また実施の形態１及び２では、プッシュリベット１６で蓋１０、２１を各カード収納部６、２６にロックしたが、実施の形態３においても、実施の形態３に係るカード盗難防止構造に加えて、実施の形態１及び２と同様に蓋３６に挿通孔を設け、カード収納部３４に挿通孔に対向する係合孔を設けてプッシュリベット等でロックしてもよい。
【図面の簡単な説明】
【００５４】
【図１】実施の形態１に係る映像表示装置のカード盗難防止構造を示す正面上方から視た斜視図である。
【図２】背面上方から視た斜視図である。
【図３】映像表示装置のカード収納部を示す背面上方から視た斜視図である。
【図４】実施の形態２に係る映像表示装置のカード盗難防止構造を示す背面下方から視た斜視図である。
【図５】正面下方から視た斜視図である。
【図６】実施の形態３に係る映像表示装置のカード盗難防止構造の側断面図である。
【符号の説明】
【００５５】
２、２０、３０  映像表示装置
６、２６、３４  カード収納部
１０、２１、３６  蓋
１０ａ、２１ｃ  挿通孔
１２ｄ、２６ｄ、３５ａ  係止孔
１４  カード
１６  プッシュリベット（ロック体）
３８  ロック爪（ロック体）
【図１】
2009055115.tif 000003
【図２】
2009055115.tif 000004
【図３】
2009055115.tif 000005
【図４】
2009055115.tif 000006
【図５】
2009055115.tif 000007
【図６】
2009055115.tif 000008